(57)【要約】【課題】トレイ上に器具類を載せて移動する際に、トレイ上で移動したり、トレイから落下しないようにする。【解決手段】台車に立設した支柱２，２に着脱可能に段差支持した複数のトレイ３を備え、トレイ３には、物品載置面３ｃを適宜の位置で仕切る仕切部材４を備える。前記仕切部材４は、前記トレイ３における物品載置面３ｃを横切る寸法に近い寸法の仕切板４ａと、仕切板４ａ両端に設けて、前記トレイ３における縁部３ｂ，３ｂに移動可能に係止してなる仕切受４ｂ，４ｂとを備える。かかる仕切部材４は、必要に応じて複数用いて、トレイ３における物品載置面３ｃを仕切るようにすることができる。【選択図】              図１
2004159801.tif 000002
【特許請求の範囲】
【請求項１】
台車に立設した支柱に支持したトレイを有し、このトレイの物品載置面を適宜仕切る仕切部材を備えたことを特徴とする看護用ワゴン。
【請求項２】
前記トレイは前記物品載置面周囲に、前記支柱に昇降可能に差し入れる装着縁と、前記仕切部材を着脱可能に装着する縁部とを備えたことを特徴とする請求項１記載の看護用ワゴン。
【請求項３】
前記仕切部材は、トレイを縦または横に仕切る寸法の仕切板と、仕切板両端に設けて、前記トレイにおける縁部に移動可能に係止してなる仕切受とを備えたことを特徴とする請求項１または２記載の看護用ワゴン。
【発明の詳細な説明】
【０００１】
【発明の属する技術分野】
本発明は、例えば、病院での医療器具類、薬液など載置して回診の際に用いられる、看護用ワゴンに関するものである。
【０００２】
【従来の技術】
従来、例えば、病院で回診の際、必要な医療器具類、薬液、その他必要な小物類などは、看護用ワゴンにおけるトレイに乗せて病室から病室へと搬送して、効率的に回診を行なってきた。
この際、前記トレイ上において、細かい物品は、直にトレイに置くというより、容器などに入れてトレイ上に乗せて運ぶようにしていた。
【０００３】
【発明が解決しようとする課題】
しかしながら、容器に入れない物品類は勿論、容器に入れても、容器自体は固定していないので、搬送する際、スロープや段差上を通過すると、トレイ上で物品があちこち移動したり、最悪の場合はトレイから落下して破損したりするということも起こりやすい。
本発明はこのような不都合を改善するために提案されたものであって、トレイ上に器具類を載せて移動する際に、トレイ上で移動したり、トレイから落下しないようにした、看護用ワゴンを提供することを目的とする。
【０００４】
【課題を解決するための手段】
前記した課題を解決するために、本発明では、請求項１において、台車に立設した支柱に支持したトレイを有し、このトレイの物品載置面を適宜仕切る仕切部材を備えた看護用ワゴンを提案する。
また本発明では、請求項２において、前記トレイは前記物品載置面周囲に、前記支柱に昇降可能に差し入れる装着縁と、前記仕切部材を着脱可能に装着する縁部とを備えた看護用ワゴンを提案する。
さらに本発明では、請求項３において、前記仕切部材は、トレイを縦または横に仕切る寸法の仕切板と、仕切板両端に設けて、前記トレイにおける縁部に移動可能に係止してなる仕切受とを備えた看護用ワゴンを提案する。
【０００５】
請求項１によれば、トレイに乗せた物品は、仕切部材によって仕切る範囲で移動しないように支えられ、段差やスロープを通過する際も、トレイ上で物品が不安定に移動することなく支えることができ、落下などのおそれをなくすことができる。
【０００６】
請求項２によれば、トレイは台車に立設した支柱に、適宜数保持して、物品を載置することができる。
【０００７】
請求項３によれば、前記仕切部材は、トレイの縁部の適所に、仕切板両端の仕切受により、必要に応じて取り付けることができる。
【０００８】
【発明の実施の態様】
以下、本発明にかかる看護用ワゴンにつき、一つの実施の態様を挙げ、添付の図面に基づいて説明する。
図１に示す看護用ワゴン１では、四隅にキャスタＣを配置して移動自在な台車（図示省略）に立設した支柱２，２に着脱可能に段差支持した複数のトレイ３を備えている。そしてかかるトレイ３には、物品載置面（後述）を適宜の位置で仕切る仕切部材４を備えている。
【０００９】
前記台車は、図示は省略するが、方形状のすのこ状台枠の四隅に前記キャスタＣを装着し、前記台枠の長手方向に対向する枠上に前記支柱２，２をそれぞれ立設している。この場合、支柱２は、詳細は説明しないが中空の成形部材で構成し、長手軸方向に前記トレイを昇降可能に案内するガイド部を設けている。
【００１０】
前記トレイ３は、前記支柱２，２に昇降可能に差し入れて、適宜な固定手段により任意の高さ位置で保持する構成としたもので、前記台車におけるすのこ状台枠とほぼ同形状のもので、長手方向に対向する側に前記支柱２，２に昇降可能に差し入れる装着縁３ａ，３ａと、短手方向に対向する側を後述する仕切部材４の縁部３ｂ，３ｂとしている。そして、これら装着縁３ａ，３ａと縁部３ｂ，３ｂで囲まれた箇所が所定の深さを有する物品載置面３ｃとしている。
なお、かかるトレイ３は、図示上、３つ支柱２，２に保持されているが、勿論、２つでも４つでもよい。
また、最上のトレイ３において、支柱２，２頂部に、トレイ３の装着縁３ａ，３ａと縁部３ｂ，３ｂに沿う形状の握りパイプ５を取り付けている。
【００１１】
そして前記仕切部材４は、前記トレイ３における物品載置面３ｃを横切る寸法に近い寸法の仕切板４ａと、仕切板４ａ両端に設けて、前記トレイ３における縁部３ｂ，３ｂに移動可能に係止してなる仕切受４ｂ，４ｂとを備えている。
前記仕切板４ａは、物品載置面３ｃの底面から縁部３ｂ，３ｂ頂部までの寸法と同等の幅を有する（図２、図３参照）。
また、前記仕切受４ｂは、仕切板４ａ端部を嵌入する嵌入部６と前記縁部４ｂに上から係止可能な受部７とで構成している。この受部７は、前記縁部４ｂに挟み込むように付勢するクランプ状のもので構成することができる（図４参照）。
なお、かかる仕切部材４は、必要に応じて複数用いて、トレイ３における物品載置面３ｃを仕切るようにしている。
【００１２】
以上のような看護用ワゴン１において、トレイ３は、台車に立設した支柱２，２に装着縁３ａ，３ａを介して差し入れて、適宜箇所に、複数、支持することができる。トレイを装着した後は、最上部のトレイ３において、支柱２，２頂部に、握りパイプ５を取り付けて組み立てを完成することができる。
【００１３】
そして、それぞれのトレイ３の物品載置面３ｃに、物品、例えば、治療機器、薬剤、その他小物類を載置する。もしこのままで物品が動かないようであればこのままでよい。
物品が物品載置面３ｃで、不安定であるようなときは、仕切部材４によって物品載置面３ｃを仕切ることで前記物品を保持することができる。
この際、仕切板４ａ両端部の仕切受４ｂの受部７を、縁部４ｂに上から挟み込むように係止させるようにする。
【００１４】
このようにすることで、物品は前記トレイ３における物品載置面３ｃに安定した状態で保持され、看護用ワゴン１を段差のある通路やスロープのある通路を走行させても、トレイ３上で物品が不安定に移動することなく支えることができ、落下などのおそれをなくすことができる。
【００１５】
【発明の効果】
以上の通り、本発明によれば、トレイ上に器具類を載せて移動する際に、トレイ上で移動したり、トレイから落下しないようにした、看護用ワゴンを提供することができる。
【００１６】
【図面の簡単な説明】
【図１】本発明にかかる看護用ワゴンの一つの実施の態様を示す、外観斜視図である。
【図２】図１に示す看護用ワゴンの要部断面説明図である。
【図３】図２に示す看護用ワゴンに用いられる仕切部材の側面図である。
【図４】図３に示す仕切部材の要部分解斜視説明図である。
【符号の説明】
１                            看護用ワゴン
２                            支柱
３                            トレイ
３ａ                          装着縁
３ｂ                          縁部
３ｃ                          物品載置面
４                            仕切部材
４ａ                          仕切板
４ｂ                          仕切受
５                            握りパイプ
６                            嵌入部
７                            受部
Ｃ                            キャスタ
【図１】
2004159801.tif 000003
【図２】
2004159801.tif 000004
【図３】
2004159801.tif 000005
【図４】
2004159801.tif 000006